(57)【要約】【課題】  大きめのサイズの枕にも対応することができると共に従来よりも快適に寝られるリクライニング・ベッド用枕保持材を提供しようとするもの。【解決手段】  寝台面が起伏して上半身が起き上がることができるリクライニング・ベッド２の上端縁に係脱可能な係止部３を有すると共に、枕５の収容口６側を長辺Ａとし逆側を短辺Ｂとした略台形状の表面側生地７の左右の斜辺Ｃを内側に変位させて下面側生地８と縫製し、前記表面側生地７の短辺Ｂも下面側生地８と縫製し、前記枕５の収容口６に弛みを有する枕収容部９が形成された。【選択図】  図１
2006043324.tif 000002
【特許請求の範囲】
【請求項１】
寝台面が起伏して上半身が起き上がることができるリクライニング・ベッド（２）の上端縁に係脱可能な係止部（３）を有すると共に、枕（５）の収容口（６）側を長辺（Ａ）とし逆側を短辺（Ｂ）とした略台形状の表面側生地（７）の左右の斜辺（Ｃ）を内側に変位させて下面側生地（８）と縫製し、前記表面側生地（７）の短辺（Ｂ）も下面側生地（８）と縫製し、前記枕（５）の収容口（６）に弛みを有する枕収容部（９）が形成されたことを特徴とするリクライニング・ベッド用枕保持材。
【請求項２】
前記枕収容部（９）の両端辺（Ｅ）が枕（５）の収容口（６）に弛みが形成されるように縫製されて左右側部と区画された請求項１記載のリクライニング・ベッド用枕保持材。
【請求項３】
前記表面側生地（７）の長辺（Ａ）からなる枕（５）の収容口（６）とベッドの上端縁との間に所定幅（Ｘ）が形成された請求項１又は２記載のリクライニング・ベッド用枕保持材。
【発明の詳細な説明】
【技術分野】
【０００１】
この発明は、リクライニングベッド用枕保持材に関するものである。
【背景技術】
【０００２】
従来より、体の具合があまり良くない場合などに頭部の起伏が可能なリクライニング・ベッドが使用されている。このベッドは、例えば病院や老人施設での介護用に使用され、仰向けに寝ている状態から食事の際などに上半身が起き上がることができるようになっている。
【０００３】
ところが、上半身が起き上がるようにリクライニングさせた際に枕がずり落ちてしまうことがあった。すなわち、ベッド上で半身を起こして食事をする際、頭を時々ベッドに任せて首などの筋肉を休ませたいことがあるが、枕が背中の方へずり落ちているので、頭をベッドに任せようとすると胸を突き出す弓なりのような姿勢となってしまい安楽さが阻害されていた。このため、ベッド用枕取付具が提案されている（例えば、特許文献１参照）。
【０００４】
図４に示すように、このベッド用枕取付具は、一枚の布地を三つ折りにして下側部２，中央部３及び上側部４の三部分を構成し、前記下側部２と中央部３の左右両側部を折り込みかつ連結縫着６して両側まち部５を形成し、この両側まち部５と同一巾の縦まち部７との間に一方向に開口する下袋部８を形成し、前記上側部４の左右両側部を前記両側まち部５に連結縫着１１して上側部４と前記中央部３との間に他方向に開口１２する上袋部１０を形成して成る。
【０００５】
前記上袋部１０は、折り込んだ布地の中央部３と上側部４とによって形成するとともに、この上側部４の左右両側端部を両側まち部５にそれぞれ連結縫着して形成した他方向に開口する開口部１２を有し、この上袋部１０の中間部の左右は縫着１１して中袋部１３を形成する。この中袋部１３には所定の枕ｂを収容する、というものである。
【０００６】
しかし、このように三ツ折りにして縫製しただけでは枕の収容部にゆとりがなく、薄手の枕であれば収容することができるが、クッションが効いた大きめの枕では収容部がぱんぱんに膨れてしまい、左右の生地が中央に引き寄せられ、生地に重なりが発生してしまうという問題があった。生地に重なりがあると寝ている際にその部分に大きな違和感を感じ快適さを損なってしまう。
【特許文献１】特開２００１―２２４４６６号公報（第１頁、図１）
【発明の開示】
【発明が解決しようとする課題】
【０００７】
そこでこの発明は、大きめのサイズの枕にも対応することができると共に従来よりも快適に寝られるリクライニング・ベッド用枕保持材を提供しようとするものである。
【課題を解決するための手段】
【０００８】
前記課題を解決するためこの発明では次のような技術的手段を講じている。
(１)この発明のリクライニング・ベッド用枕保持材は、寝台面が起伏して上半身が起き上がることができるリクライニング・ベッドの上端縁に係脱可能な係止部を有すると共に、枕の収容口側を長辺とし逆側を短辺とした略台形状の表面側生地の左右の斜辺を内側に変位させて下面側生地と縫製し、前記表面側生地の短辺も下面側生地と縫製し、前記枕の収容口に弛みを有する枕収容部が形成されたことを特徴とする。
【０００９】
このリクライニング・ベッド用枕保持材では、枕の収容口側を長辺とし逆側を短辺とした略台形状の表面側生地の左右の斜辺を内側に変位させて下面側生地と縫製し、前記表面側生地の短辺も下面側生地と縫製し、前記枕の収容口に弛みを有する枕収容部が形成されたので、略台形状の表面側生地の左右の斜辺を内側に変位させて下面側生地と縫製することにより枕の収容口に弛みを有する枕収容部を形成することができ、前記弛みによって下側の生地を大きく変形させることなく枕サイズに対する融通性を得ることができる。
【００１０】
前記表面側生地と下面側生地とは連続する生地でもよいし別体の生地でもよい。
(２) 前記枕収容部の両端辺が枕の収容口に弛みが形成されるように縫製されて左右側部と区画されたこととしてもよい。
【００１１】
このように構成すると、表面側生地の左右の斜辺だけではなく枕収容部の両端辺も縫製することにより、枕収容部と区画された左右側部をティッシュなどの収容領域とすることができる。
（３）前記表面側生地の長辺からなる枕の収容口とベッドの上端縁との間に所定幅が形成されたこととしてもよい。
【００１２】
このように構成すると、ベッドの構造上、頭の上の位置に鉄柵などがあった場合でも、表面側生地の長辺からなる枕の収容口とベッドの上端縁との間に所定幅が存するので、この隙間から枕を枕収容部へと挿入し易い。
【発明の効果】
【００１３】
この発明は上述のような構成であり、次の効果を有する。
【００１４】
枕の収容口に形成される弛みによって下側の生地を大きく変形させることなく枕サイズに対する融通性を得ることができるので、大きめのサイズの枕にも対応することができると共に従来よりも快適に寝られるリクライニング・ベッド用枕保持材を提供することができる。
【発明を実施するための最良の形態】
【００１５】
以下、この発明の実施の形態を図面を参照して説明する。
【００１６】
図１乃至図３に示すように、この実施形態のリクライニング・ベッド用枕保持材１は、寝台面が起伏して上半身が起き上がることができるリクライニング・ベッド２の上端縁に係脱可能な係止部３（図３参照）を有する。前記係止部３は筒状としており、リクライニング・ベッド２のマットレス４などの上端縁を挿入できるようにしている。
【００１７】
そして、枕５の収容口６側を長辺Ａとし逆側を短辺Ｂとした略台形状の表面側生地７の左右の斜辺Ｃを内側に変位させて下面側生地８の左右の端辺Ｄと縫製（縫着）し、前記表面側生地７の短辺Ｂも下面側生地８と縫製し、前記枕５の収容口６に弛みを有する枕収容部９が形成されたこととしている。長辺Ａが短辺Ｂより長い長さＬは、左右それぞれ約３〜５ｃｍとしている。縫製箇所や外周等には、バイアステープ10を設けている。
【００１８】
前記表面側生地７は、パイル地により形成している。また前記下面側生地８は、ベッド２の上側半分の寝台面の頭部から腰部に対応する領域を覆う程度の大きさのパイル地で形成している。この枕保持材１の下面には、ベッド２全体を覆う薄地のシーツを敷いておくとよい。なお、前記下面側生地８はシーツとして構成してもよい。また、前記下面側生地８はリクライニング・ベッド２の全面を被うようにしてもよい。
【００１９】
前記のように、ベッド２の寝台面の頭部に対応する上方領域のみを被うように下面側生地８を構成すると、クライニング・ベッド２の全体を被う場合よりも交換時に剥がしたりまたずらしたりする作業性が格段に高まり、その位置決めを行う際の上下・左右方向の調整を容易に行うことができる。さらに、リクライニング・ベッド２の全体を被う通常の大きさの場合と比較してサイズ・嵩低さなどの面からその洗濯や取替え、交換を容易に行うことができ、その回数を増やすことができ、シーツの衛生面等においても好ましいものとなる。シーツの頭部の領域は、頭髪の汚れや食べ物をこぼしたもの・鼻水などが付着することが多く、また本や新聞を読んだ時の手垢などで汚れやすいのである。
【００２０】
前記表面側生地７と下面側生地８とは別体の生地として縫着しているが、連続する生地としてもよい。前記表面側生地７や下面側生地８として前記パイル地（タオル地）や毛布地などを用いることができ、素材として麻、綿、合成繊維その他のシーツに好適な繊維全般を用いることができる。また、前記表面側生地７と下面側生地８とは縫製（縫着）することにより形成しており、面ファスナーやボタンを用いた場合と比較して接合部分の厚みを減らすことができ、首筋や背中に対する異物感を減少せしめることができる。
【００２１】
前記表面側生地７の枕収容部９（ベッド２の幅を３分割したうちの真ん中）の両端辺Ｅは、枕５の収容口６に弛みが形成されるように下面側生地８（辺Ｅ´）と縫製されて左右側部と区画されたこととしている。この箇所はティッシュの箱の収容域11としており、ティッシュペーパー引き出し用の開口部12を形成している。よって、食事の際や手が汚れた際、鼻をかむ際などにすぐ枕元からティッシュを抜き取ることができ非常に使い勝手がよい。なお、前記左右側部のうちいずれかは備品その他の小物類を挿脱自在に収容するポケット部としてもよい。前記ポケット部には薬袋や小銭入れ、体温計等の備品その他の小物類を収容することができ、必要な物を取り出し易く使い勝手に優れる。
【００２２】
前記表面側生地７の長辺Ａからなる枕５の収容口６とベッド２の上端縁との間に所定幅Ｘが形成されている。
【００２３】
次に、この実施形態のリクライニング・ベッド用枕保持材の使用状態を説明する。
【００２４】
上半身が起き上がるようにベッド２をリクライニングして傾斜させると通常であれば枕５は下方にずれ落ちようとするが、このリクライニング・ベッド用枕保持材１はリクライニング・ベッド２の上端縁に係脱自在の係止部３を有すると共に枕５を保持する枕収容部９を有するので、枕５の下方への変位を防止することができる。よって、ベッド２上で半身を起こして食事をしている際（首等は食器の方に乗り出している）に頭を枕に戻して首などの筋肉を休ませたいときも、枕はずれ落ちずに元々横になっていた通りの位置に在るので、そのまま頭を後ろに動かすと楽な仰向けの姿勢に戻ることができ、首を休めながら食事をリラックスして摂ることができ、体の具合があまり良くないとき（例えば病気の際やご老人）には特に使い勝手がよく非常に助かる。特に長期入院したり、長期療養したりする際に極めて役に立つものである。
【００２５】
このリクライニング・ベッド用枕保持材１では、枕５の収容口６側を長辺Ａとし逆側を短辺Ｂとした略台形状の表面側生地７の左右の斜辺Ｃを内側に変位させて下面側生地８と縫製し、前記枕５の収容口６に弛みを有する枕収容部９が形成されたので、略台形状の表面側生地７の左右の斜辺Ｃを内側に変位させて下面側生地８と縫製することにより枕５の収容口６に弛みを有する枕収容部９を形成することができ、前記弛みによって下側の生地を大きく変形させることなく枕サイズに対する融通性を得ることができ、大きめのサイズの枕にも対応することができると共に従来よりも快適に寝られるという利点がある。
【００２６】
また、前記枕収容部９の両端辺Ｅが枕の収容口６に弛みが形成されるように縫製されて左右側部と区画されたこととしており、表面側生地７の左右の斜辺Ｃだけではなく枕収容部９の両端辺Ｅも縫製することにより、枕収容部９と区画された左右側部をティッシュなどの収容領域とすることができるという利点がある。
【００２７】
さらに、前記表面側生地７の長辺Ａからなる枕の収容口６とベッド２の上端縁との間に所定幅Ｘが形成されており、ベッド２の構造上、頭の上の位置に鉄柵や頭部カバー体13などがあった場合でも、表面側生地７の長辺Ａからなる枕の収容口６とベッド２の上端縁との間に所定幅Ｘが存するので、この隙間から枕を枕収容部９へと挿入し易いという利点がある。
【産業上の利用可能性】
【００２８】
枕の収容口に形成される弛みによって下側の生地を大きく変形させることなく枕サイズに対する融通性を得ることができるので、大きめのサイズの枕にも対応することができると共に従来よりも快適に寝られるリクライニング・ベッド用枕保持材を提供することができる。
【００２９】
ができ、ことによって、な用途にも適用することができる。
【図面の簡単な説明】
【００３０】
【図１】この発明のリクライニング・ベッド用枕保持材の実施形態で縫製前の状態を説明する平面図。
【図２】図１のリクライニング・ベッド用枕保持材の縫製後の状態を説明する平面図。
【図３】図１のリクライニング・ベッド用枕保持材の使用状態を説明する斜視図。
【図４】従来のベッド用枕取付具の斜視図（特開２００１−２２４４６６号公報の図１）。
【符号の説明】
【００３１】
２  ベッド
３  係止部
５  枕
６  収容口
７  表面側生地
８  下面側生地
９  枕収容部
Ａ  長辺
Ｂ  短辺
Ｃ  斜辺
Ｅ  枕収容部の端辺
Ｘ  所定幅
【図１】
2006043324.tif 000003
【図２】
2006043324.tif 000004
【図３】
2006043324.tif 000005
【図４】
2006043324.tif 000006